(57)【要約】【課題】ＳＩＭホルダーを利用したコンテンツの視聴方法を提供する。【解決手段】コンピュータ３は、ＳＩＭホルダー１を利用して、ＳＩＭ２からクレジットカード情報を読み出し（Ｓ１）、クレジットカード情報を事業者サーバ５に送信する（Ｓ３）。事業者サーバ５は、クレジットサーバ６を利用して、コンピュータ３から送信されたクレジットカード情報に基づき、コンテンツの視聴料金の利用審査を行い（Ｓ５）、コンテンツを視聴するときに利用する暗号鍵をコンピュータ３へ送信し（Ｓ７）、コンピュータ３は暗号鍵をＳＩＭホルダー１に記憶させる（Ｓ８）。ユーザがコンテンツを視聴するとき、ＳＩＭホルダー１は、ワンセグ放送で放送されている暗号化コンテンツを暗号鍵を用いて復号し、コンテンツを液晶ディスプレイ１６に再生する（Ｓ１０）。【選択図】図２
2009253630.tif 000002
【特許請求の範囲】
【請求項１】
外部のコンピュータと通信するためのコンピュータインターフェースと、ＳＩＭ（Subscriber Identity Module）のコンタクト端子それぞれと電気的に接続する端子が備えられたターミナル基盤と、課金処理に必要なクレジットカード情報をメモリに記憶したＳＩＭと通信するためのＩＳＯ７８１６インターフェースと、液晶ディスプレイと、コンピュータインターフェースのデータとＩＳＯ７８１６コントローラインターフェースのデータを相互変換するコンバータ手段と、ワンセグ放送で送信されている電波を受信しデジタル信号に変換するワンセグ受信手段と、指定された暗号鍵を用いてデータを復号するデータ復号手段と、ワンセグ放送で配信されるコンテンツを液晶ディスプレイに再生するコンテンツ再生手段とを備えたＳＩＭホルダーを利用したコンテンツの視聴方法であって、
ステップａ）前記ＳＩＭホルダーを装着したコンピュータが、前記ＳＩＭホルダーの前記コンバータ手段を利用して、前記ＳＩＭに記憶された前記クレジット情報を読み出し、コンテンツ配信事業者のサーバに前記クレジットカード情報を送信するステップ、
ステップｂ）前記サーバが前記クレジットカード情報を利用して、ユーザが指定したコンテンツの視聴に対する課金処理を行い、前記コンテンツを視聴するために必要な暗号鍵を前記コンピュータに送信するステップ、
ステップｃ）前記コンピュータが前記サーバから受信した前記暗号鍵を前記ＳＩＭホルダーに記憶させるステップ、
ステップｄ）前記暗号鍵で復号可能なように暗号化された前記コンテンツの暗号文を前記ワンセグ受信手段が受信し、前記データ復号手段が、前記暗号鍵を用いて、前記ワンセグ受信手段が受信した前記コンテンツの暗号文を復号し、前記コンテンツ再生手段が、前記コンテンツの暗号文を復号して得られる前記コンテンツを再生するステップ、
を含むことを特徴とするコンテンツの視聴方法。
【請求項２】
外部のコンピュータと通信するためのコンピュータインターフェースと、ＳＩＭ（Subscriber Identity Module）のコンタクト端子それぞれと電気的に接続する端子が備えられたターミナル基盤と、課金処理に必要なクレジットカード情報をメモリに記憶したＳＩＭと通信するためのＩＳＯ７８１６インターフェースと、液晶ディスプレイと、コンピュータインターフェースのデータとＩＳＯ７８１６コントローラインターフェースのデータを相互変換するコンバータ手段と、ワンセグ放送で送信されている電波を受信しデジタル信号に変換するワンセグ受信手段と、指定された暗号鍵を用いてデータを復号するデータ復号手段と、ワンセグ放送で配信されるコンテンツを液晶ディスプレイに再生するコンテンツ再生手段とを備えたＳＩＭホルダー。
【発明の詳細な説明】
【技術分野】
【０００１】
本発明は、ＳＩＭ（Subscriber Identity Module）を内部に装着可能で、装着されたＳＩＭと通信するリーダライタの機能を備えたＳＩＭホルダーに関する。
【背景技術】
【０００２】
小型ＩＣチップを実装したＩＣカードは、ＩＣチップのメモリにデータ（例えば、認証局の証明証など）を機密に格納できるため、ネットワークのログイン管理やドアゲートの入退室管理などの様々な用途で使用されている。
【０００３】
ただし、ＩＣカードを使用する際は、ＩＣカードとデータの通信を行う装置（例えば、パーソナルコンピュータやゲート装置）は、ＩＣカードと通信するリーダライタを備えなければならず、リーダリーダライタを備えていない装置では、ＩＣカードを利用することができなかった。
【０００４】
そこで、本出願人は、特許文献１や特許文献２において、少なくとも、コンピュータと接続するためのＵＳＢ（Universal Serial Bus）インターフェースと、内部に装着したＳＩＭ（SIM: Subscriber Identity Module）とデータ通信するためリーダライタと、画像や映像を表示する液晶ディスプレイなどを備えたＳＩＭホルダーを開示している。
【０００５】
【特許文献１】特開２００４−２６４９１５号公報
【特許文献２】特開２００４−２６４９１６号公報
【発明の開示】
【発明が解決しようとする課題】
【０００６】
特許文献１や特許文献２で開示されているＳＩＭホルダーは、ＳＩＭホルダーに動画などのコンテンツの再生機能を備えていないが、ＳＩＭホルダーに動画などのコンテンツの再生機能を備えさせれば、コンテンツの再生装置としてＳＩＭホルダーを利用することが可能になる。
【０００７】
そこで、本発明は、特許文献１や特許文献２で開示されているようなＳＩＭホルダーを利用したコンテンツの視聴方法、および、コンテンツの視聴方法に利用するＳＩＭホルダーを提供することを目的とする。
【課題を解決するための手段】
【０００８】
上述した課題を解決する第１の発明は、外部のコンピュータと通信するためのコンピュータインターフェースと、ＳＩＭ（Subscriber Identity Module）のコンタクト端子それぞれと電気的に接続する端子が備えられたターミナル基盤と、課金処理に必要なクレジットカード情報をメモリに記憶したＳＩＭと通信するためのＩＳＯ７８１６インターフェースと、液晶ディスプレイと、コンピュータインターフェースのデータとＩＳＯ７８１６コントローラインターフェースのデータを相互変換するコンバータ手段と、ワンセグ放送で送信されている電波を受信しデジタル信号に変換するワンセグ受信手段と、指定された暗号鍵を用いてデータを復号するデータ復号手段と、ワンセグ放送で配信されるコンテンツを液晶ディスプレイに再生するコンテンツ再生手段とを備えたＳＩＭホルダーを利用したコンテンツの視聴方法であって、
ステップａ）前記ＳＩＭホルダーを装着したコンピュータが、前記ＳＩＭホルダーの前記コンバータ手段を利用して、前記ＳＩＭに記憶された前記クレジット情報を読み出し、コンテンツ配信事業者のサーバに前記クレジットカード情報を送信するステップ、
ステップｂ）前記サーバが前記クレジットカード情報を利用して、ユーザが指定したコンテンツの視聴に対する課金処理を行い、前記コンテンツを視聴するために必要な暗号鍵を前記コンピュータに送信するステップ、
ステップｃ）前記コンピュータが前記サーバから受信した前記暗号鍵を前記ＳＩＭホルダーに記憶させるステップ、
ステップｄ）前記暗号鍵で復号可能なように暗号化された前記コンテンツの暗号文を前記ワンセグ受信手段が受信し、前記データ復号手段が、前記暗号鍵を用いて、前記ワンセグ受信手段が受信した前記コンテンツの暗号文を復号し、前記コンテンツ再生手段が、前記コンテンツの暗号文を復号して得られる前記コンテンツを再生するステップ、
を含むことを特徴とする。
【０００９】
更に、第２の発明は、外部のコンピュータと通信するためのコンピュータインターフェースと、ＳＩＭ（Subscriber Identity Module）のコンタクト端子それぞれと電気的に接続する端子が備えられたターミナル基盤と、課金処理に必要なクレジットカード情報をメモリに記憶したＳＩＭと通信するためのＩＳＯ７８１６インターフェースと、液晶ディスプレイと、コンピュータインターフェースのデータとＩＳＯ７８１６コントローラインターフェースのデータを相互変換するコンバータ手段と、ワンセグ放送で送信されている電波を受信しデジタル信号に変換するワンセグ受信手段と、指定された暗号鍵を用いてデータを復号するデータ復号手段と、ワンセグ放送で配信されるコンテンツを液晶ディスプレイに再生するコンテンツ再生手段とを備えたＳＩＭホルダーである。
【発明の効果】
【００１０】
上述した第１の発明によれば、特許文献１や特許文献２で開示されているようなＳＩＭホルダーにワンセグ受信手段、データ復号手段およびコンテンツ再生手段を備えさせることで、ＳＩＭホルダーを利用してワンセグ放送で提供されるコンテンツを視聴することができ、更に、ユーザが視聴するコンテンツに課金することのできるコンテンツの視聴方法を提供できる。
【００１１】
なお、上述した第２の発明は、第１の発明に係わるコンテンツの視聴方法で利用するＳＩＭホルダーである。
【発明を実施するための最良の形態】
【００１２】
ここから、本発明に係わるコンテンツの視聴方法およびＳＩＭホルダーについて、図を参照しながら詳細に説明する。図１は、本発明に係わるワンセグ放送の視聴方法が実行されるシステムの構成を説明する図である。
【００１３】
本発明に係わるコンテンツの視聴方法が実行されるシステムは、ワンセグ放送で送信されるコンテンツを視聴するユーザが所持するＳＩＭホルダー１と、ＳＩＭホルダー１が装着されるコンピュータ３と、コンテンツ配信事業者が管理する事業者サーバ５と、クレジットカード会社が管理するクレジットサーバ６とから構成され、コンピュータ３と事業者サーバ５はインターネット４を介して接続され、事業者サーバ５とクレジットサーバ６とは専用回線で接続されている。
【００１４】
ユーザが、ＳＩＭホルダー１を用い、ワンセグ方法で放送されるコンテンツを視聴するときに、本発明に係わるコンテンツの視聴方法が実施される。図２は、本発明に係わるコンテンツの視聴方法の手順を示したフロー図である。
【００１５】
コンテンツ配信事業者は、暗号化したコンテンツ（以下、「暗号化コンテンツ」と記す。）を特定会員向けにワンセグ放送で放送している。コンテンツ配信事業者の特定会員であるユーザは、コンテンツ配信事業者が放送しているコンテンツをＳＩＭホルダー１で視聴するとき、暗号化コンテンツを復号する暗号鍵を取得するために、コンピュータ３にインストールされたブラウザを操作して、事業者サーバ５へアクセスする。
【００１６】
事業者サーバ５は、ワンセグ放送で放送しているコンテンツおよび視聴料金の一覧をウェブページで公開し、ユーザは、このウェブページにアクセスし、希望するコンテンツの視聴に対する課金をクレジット決済で行う。
【００１７】
ユーザが所持するＳＩＭホルダー１に装着されたＳＩＭ２にはクレジット決済に必要なクレジットカード情報（クレジットカード番号や有効期限）が予め記憶され、コンテンツの視聴料金をクレジット決済するとき、ユーザは、ＳＩＭホルダー１をコンピュータ３のＵＳＢポートに装着し、コンピュータ３は、ＳＩＭ２からクレジットカード情報を読み出す命令をＳＩＭホルダー１に送信する（Ｓ１）。
【００１８】
ＳＩＭホルダー１は、ＳＩＭ２からクレジットカード情報を読み出す命令をコンピュータ３から受信すると、この命令をＩＳＯ７８１６の通信プロトコルに変換してＳＩＭ２へ送信し、ＳＩＭ２から読み出したクレジットカード情報をＵＳＢの通信プロトコルに変換してコンピュータ３に送信し（Ｓ２）、コンピュータ３は、ＳＩＭホルダー１から受信したクレジットカード情報に加え、ユーザがコンピュータ３に入力したユーザ情報を事業者サーバ５に送信する（Ｓ３）。
【００１９】
事業者サーバ５は、コンピュータ３から送信されたクレジットカード情報およびユーザ情報に加え、ユーザが希望したコンテンツに設定された視聴料金をクレジットサーバ６に送信して、クレジットサーバ６にユーザの利用審査を要求し（Ｓ４）、クレジットサーバ６は、ユーザのクレジット利用残高などを参照して、コンテンツの視聴料金に対するクレジット決済を判断し、利用審査の結果を事業者サーバ５に送信する（Ｓ５）。
【００２０】
事業者サーバ５は、クレジットサーバ６から受信した利用審査の結果に応じて処理を分岐させ（Ｓ６）、利用審査の結果がクレジット決済の不許可であればこの手順を終了し、利用審査の結果がクレジット決済の許可であれば、暗号化コンテンツを復号するための暗号鍵をコンピュータ３へ送信する（Ｓ７）。
【００２１】
コンピュータ３は、事業者サーバ５から暗号鍵を受信すると、ＳＩＭホルダー１のメモリに暗号鍵を記憶させる命令をＳＩＭホルダー１に送信し（Ｓ８）、ＳＩＭホルダー１は暗号鍵をＳＩＭホルダー１のメモリに記憶する（Ｓ９）。
【００２２】
ユーザがコンテンツを視聴するとき、ユーザはコンピュータ３からＳＩＭホルダー１を外し、ＳＩＭホルダー１を操作して、視聴するコンテンツとコンテンツの復号に利用する暗号鍵を選択する。ＳＩＭホルダー１は、視聴するコンテンツおよび暗号鍵が選択されると、ワンセグ放送で放送されている暗号化コンテンツを受信開始し、受信した暗号化コンテンツを選択された暗号鍵を用いて復号し、暗号化コンテンツを復号して得られるコンテンツを液晶ディスプレイ１６に再生する（Ｓ１０）。
【００２３】
ここから、本発明に係わるコンテンツの視聴方法で利用されるＳＩＭホルダー１について説明する。図３は、コンテンツの視聴方法で利用されるＳＩＭホルダー１の外観図で、図４は、ＳＩＭホルダー１のブロック図である。
【００２４】
図３で図示したように、ＳＩＭホルダー１は、挿入口１３からスライドしてＳＩＭ２を着脱できる構造で、コンピュータ３のＵＳＢポートと接続するためのＵＳＢコネクタ１５を備えている。図２では、ＵＳＢコネクタ１５をＡコネクタ（雄型）としているが、ＵＳＢコネクタ１５はミニＢコネクタ（雌型）であってもよい。
【００２５】
ＳＩＭホルダー１の挿入口１３から装着されたＳＩＭ２のコンタクト面が、ＳＩＭホルダー１の内部に設けられたターミナル基盤１２と電気的に接続することで、ＳＩＭホルダー1は装着されたＳＩＭ２と通信可能になる。
【００２６】
更に、ＳＩＭホルダー１には、ＳＩＭホルダー１の電源をＯＮ／ＯＦＦするための電源ボタン１１と、ワンセグ放送で配信されるコンテンツを表示する液晶ディスプレイ１６と、ＳＩＭホルダー１をリセットするときに利用するリセットスイッチ１４と、液晶ディスプレイ１６に表示されたメニューを選択するための選択スイッチ１０と、ストラップを通すためのストラップ穴１７と、ワンセグ放送用のＴＶアンテナ１８と、音声を出力するためのイヤホンジャック１９を備えている。
【００２７】
また、図４に図示しているように、ＳＩＭホルダー１は回路として、ＳＩＭホルダー１全体を制御する中央演算処理装置１００（CPU: Central Processing Unit）を備え、ＣＰＵ１００にはリセットボタン１４が接続され、更に、ＣＰＵ１００には様々なバスを介して、ＳＲＡＭ１１１、フラッシュＲＯＭ１１０、ＩＳＯ/７８１６インターフェース１２０、ＵＳＢインターフェース１５０、ブルートゥースインターフェース１４０、ボタン入力回路１１０、ワンセグチューナ１８０、ＤＳＰ１８１（DSP: Digital Signal Processor）、暗号演算回路１８２およびＬＣＤドライバ１６０が接続されている。
【００２８】
ＳＩＭホルダー１に備えられたＴＶアンテナ１８とワンセグチューナ１８０は組み合わされてワンセグ受信手段として機能し、ＤＳＰ１８１はコンテンツ再生手段として機能し、暗号演算回路１８２はデータ復号手段として機能する。
【００２９】
ＳＩＭホルダー１のワンセグチューナ１８０は、ＴＶアンテナ１８が受信した電波を逐次デジタル信号に変換しＳＲＡＭ１１１に記憶する。ここでは、ワンセグ放送で暗号化コンテンツが配信されているため、ＳＲＡＭ１１１に記憶されるデータは、コンテンツに含まれる映像データおよび音声データで、映像データおよび音声データは暗号鍵で復号可能な状態に暗号化されている。
【００３０】
ＳＩＭホルダー１の暗号演算回路１８２は、フラッシュＲＯＭ１１０に記憶された暗号鍵を用いて、ＳＲＡＭ１１１に記憶された映像データおよび音声データを復号し、ＤＳＰ１８１は、復号した映像データをＨ．２６４に従い解凍し、解凍した得られる映像の表示をＬＣＤドライバ１６０に指示し、音声データをＡＡＣ（AAC: Advanced Audio Coding)に従い解凍して得られる音声をイヤホンジャックに出力することでコンテンツを再生する。
【００３１】
図５は、コンテンツの視聴方法において、ＳＩＭホルダー１で実行される処理を示したフロー図である。
【００３２】
上述したように、本発明に係わるコンテンツの視聴方法では、コンテンツの視聴に対する課金はクレジットで決済される。ユーザが、コンテンツの視聴に対する課金をクレジット決済で行う時、まず、ＳＩＭ２に記憶されたクレジットカード情報を読み出す命令がコンピュータ３から送信され、ＳＩＭホルダー１は、ＳＩＭホルダー１に装着されたＳＩＭ２に記憶されているクレジットカード情報をコンピュータ３に返信する（Ｓ１０）。
【００３３】
ＳＩＭホルダー１は、ＳＩＭ２に記憶されたクレジットカード情報を読み出す命令を、コネクタ１５を介してＵＳＢインターフェース１５０で受信すると、コンピュータ３は、ＩＳＯ７８１６インターフェース１２０を用いて、この命令をＳＩＭ２に転送し、ＳＩＭ２から送信されたクレジットカード情報を、ＵＳＢインターフェース１５０を用いて、コンピュータ３に返信する。
【００３４】
ＳＩＭホルダー１が、ＳＩＭ２に記憶されているクレジットカード情報をコンピュータ３に送信した後、暗号化コンテンツを復号するときに利用する暗号鍵を記憶する命令が、コンピュータ３からＳＩＭホルダー１に送信され、ＳＩＭホルダー１は、コンピュータ３から受信した暗号鍵をフラッシュＲＯＭ１１０に記憶する（Ｓ１１）。
【００３５】
ＳＩＭホルダー１が暗号鍵を記憶した後、ユーザの指示によって、ＳＩＭホルダー１はワンセグ放送で送信されるコンテンツの再生を開始する（Ｓ１２）。ＳＩＭホルダー１が、ワンセグ放送で送信されるコンテンツを受信・再生するとき、ＳＩＭホルダー１のワンセグチューナ１８０は、ＴＶアンテナ１８が受信した電波をデジタル信号に逐次変換し、変換したデジタル信号をＳＲＡＭ１１１に記憶する。
【００３６】
本実施形態において、ワンセグ放送で放送されているコンテンツは暗号化されているため、ＤＳＰ１８１は、ワンセグチューナ１８０が変換したデジタル信号を再生するとき、選択された暗号鍵と暗号演算回路１８２を利用して、ＳＲＡＭ１１１に記憶したデジタル信号を復号し、復号したデジタル信号は、液晶ディスプレイ１６やイヤホンジャックを用いて再生する。
【００３７】
ＳＩＭホルダー１に備えられたワンセグ放送を受信するコンテンツを再生する以外の機能については、特許文献１や特許文献２で開示されているＳＩＭホルダーと同じであるが、ここから、ＳＩＭホルダー１に備えられた他の機能について簡単に説明を加えておく。
【００３８】
ＳＩＭホルダー１に備えられたＩＳＯ７８１６インターフェース１２０は、ＳＩＭ２と電気的に接続するターミナル基盤１２を含め、ＩＳＯ／ＩＥＣ７８１６規格に準拠した接触通信プロトコルに必要な回路で、ＳＩＭホルダー１は、ＩＳＯ７８１６インターフェース１２０を利用して、ＳＩＭホルダー１に装着されたＳＩＭ２と接触通信する。
【００３９】
ＳＩＭホルダー１に備えられたＵＳＢインターフェース１５０は、ＳＩＭホルダー１は、ＵＳＢインターフェース１５０を利用して、ＳＩＭホルダー１が装着されたコンピュータ３とＵＳＢで通信するために備えられ、更に、コンピュータ３と無線で通信するために、ブルートゥースインターフェース１４０およびブルートゥース回路１４１を備えている。
【００４０】
ＳＩＭホルダー１が、ＩＳＯ７８１６インターフェース１２０、ＵＳＢインターフェース１５０、ブルートゥースインターフェース１４０を備えることで、コンピュータ３がＩＣカードリーダライタを備えてなくとも、コンピュータ３でＳＩＭ２の利用が可能になる。
【００４１】
コンピュータ３がＳＩＭ２に処理を依頼するときは、コンピュータ３はＳＩＭ２に対応したコマンドメッセージをＳＩＭホルダー１に送信する。本実施形態のＳＩＭホルダー１は、ＵＳＢインターフェース１５０とブルートゥースインターフェース１４０を備えており、コンピュータ３は、ＵＳＢ或いはブルートゥースで、このコマンドメッセージをＳＩＭホルダー１に送信することが可能である。
【００４２】
本実施形態において、本発明に係わるコンバート手段の機能をＣＰＵ１００は備え、ＩＳＯ７８１６インターフェース１２０のデータをＵＳＢインターフェース１５０（或いは、ブルートゥースインターフェース１４０）のデータに相互変換する機能を備えて、ＳＩＭホルダー１のＣＰＵ１００は、ＵＳＢインターフェース１５０（或いは、ブルートゥースインターフェース１４０）で受信したコマンドメッセージを、ＩＳＯ７８１６インターフェース１２０を用いて、このコマンドメッセージをＳＩＭ２に転送する。
【００４３】
また、ＩＳＯ７８１６インターフェース１２０が、ＳＩＭ２からコマンドメッセージに対するレスポンスメッセージを受信すると、ＳＩＭホルダー１のＣＰＵ１００は、ＵＳＢインターフェース１５０（或いは、ブルートゥースインターフェース１４０）を用いて、ＳＩＭ２から受信したレスポンスメッセージをコンピュータ３に送信する。
【００４４】
なお、特許文献１で開示しているように、ＳＩＭホルダー１に、ＩＳＯ７８１６インターフェース１２０のデータをＵＳＢインターフェース１５０のデータに相互変換するコンバート手段として機能する専用のＩＣチップを備えさせ、リレーによって、ＵＳＢインターフェース１５０（或いは、ブルートゥースインターフェース１４０）のデータをＩＳＯ／７８１６インターフェース１２０のデータに変換し、コンピュータ３とＳＩＭ２が通信するモードと、ＵＳＢインターフェース１５０（或いは、ブルートゥースインターフェース１４０）を利用してＳＩＭホルダー１本体とコンピュータ３が通信するモードを切り替えるようにしてもよい。
【００４５】
ＳＩＭホルダー１に、近接型非接触通信用の非接触アンテナ１２１を設けているのは、ＳＩＭ２単体で非接触動作できるようにするためである。ＳＩＭホルダー１に備えられた非接触アンテナ１２１の両端は、ＳＩＭホルダー１のターミナル基盤１２の所定の接続端子に接続され、ＳＩＭ２に実装されるＩＣチップをデュアルインターフェースチップとし、非接触アンテナ１２１の両端が接続されているターミナル基盤１２１の接続端子に対応するように、ＳＩＭ２の接触端子とデュアルインターフェースチップのＲＦインターフェースをワイヤボンディングなどで接続させておけば、ＳＩＭホルダー１にＳＩＭ２を装着した状態で、一般の非接触ＩＣカードのようにＳＩＭ２を動作させることが可能になる。
【００４６】
ＳＩＭホルダー１に備えられたＬＣＤドライバ１６０は液晶ディスプレイ１６を駆動する回路で、本実施形態において、ＬＣＤドライバ１６０は、ＤＳＰ１８１が再生するコンテンツを液晶ディスプレイ１６に表示させる。
【００４７】
ＳＩＭホルダー１の二次電池１３１は、ＳＩＭホルダー１に備えられた回路に電力を供給するためにＳＩＭホルダー１に備えられ、更に、ＳＩＭホルダー１には、コンピュータ３とＵＳＢで接続しているときに、ＵＳＢバスパワーで供給される電力を二次電池１３１に充電する電源回路１３０が設けられている。
【００４８】
ＳＩＭホルダー１のボタンスイッチ回路１１０は、ＳＩＭホルダー１に備えられた電源ボタン１１および選択ボタン１０の入力回路で、電源ボタン１１が押されるとＳＩＭホルダー１に電源が供給され、更に、選択ボタン１０が押されるとパルス信号がＣＰＵ１００に伝達され、メニューの選択ができる仕組みになっている
【図面の簡単な説明】
【００４９】
【図１】ワンセグ放送の視聴方法が実行されるシステムの構成を説明する図。
【図２】本発明に係わるコンテンツの視聴方法の手順を示したフロー図。
【図３】ＳＩＭホルダーの外観図。
【図４】ＳＩＭホルダーのブロック図。
【図５】ＳＩＭホルダーで実行される処理を示したフロー図。
【符号の説明】
【００５０】
１  ＳＩＭホルダー
１１０  フラッシュＲＯＭ
１１１  ＳＲＡＭ
１６  液晶ディスプレイ
１６０  ＬＣＤドライバ
１８  ＴＶアンテナ
１８０  ワンセグチューナ
１８１  ＤＳＰ
１８２  暗号演算回路
１９  イヤホンジャック
２  ＳＩＭ
３  コンピュータ
５  事業者サーバ
６  クレジットサーバ
【図１】
2009253630.tif 000003
【図２】
2009253630.tif 000004
【図３】
2009253630.tif 000005
【図４】
2009253630.tif 000006
【図５】
2009253630.tif 000007